(57)【要約】【課題】鏡筒部材の切り欠き部の数を抑制する。【解決手段】レンズ鏡筒は、バヨネット切欠き部と、バヨネット切欠き部に連なる円周溝と、円周溝に連なるカム溝とを有する第一筒と、第一筒の内部に少なくとも一部が収容され、バヨネット切欠き部から挿入されて円周溝に係合するバヨネット爪と、カム溝と少なくとも一部が対向するカム貫通孔と、を有する第二筒と、第二筒の内部に少なくとも一部が収容され、カム貫通孔を貫通してカム溝内に沿って移動する突起を有する移動筒と、を備える。【選択図】図２
2018077273.tif 000002
【特許請求の範囲】
【請求項１】
バヨネット切欠き部と、前記バヨネット切欠き部に連なる円周溝と、前記円周溝に連なるカム溝とを有する第一筒と、
前記第一筒の内部に少なくとも一部が収容され、前記バヨネット切欠き部から挿入されて前記円周溝に係合するバヨネット爪と、前記カム溝と少なくとも一部が対向するカム貫通孔と、を有する第二筒と、
前記第二筒の内部に少なくとも一部が収容され、前記カム貫通孔を貫通して前記カム溝内に沿って移動する突起を有する移動筒と、を備えるレンズ鏡筒。
【請求項２】
請求項１に記載のレンズ鏡筒において、
前記レンズ鏡筒は、ズームレンズであり、
前記第一筒は、ズーム操作時に回転され、
前記第二筒は、前記第一筒に対して軸方向に不動であり、かつ、前記第一筒に対して相対的に回転され、
前記第一筒と前記第二筒との相対的な回転に伴い、前記カム溝に対して前記カム貫通孔の対向する領域が変化するレンズ鏡筒。
【請求項３】
請求項１または２に記載のレンズ鏡筒において、
前記第一筒の軸方向一端部において、前記バヨネット切欠き部が形成されていない領域の内径は、前記バヨネット切欠き部が形成されている領域の内径より小さく、
前記第二筒において、前記カム貫通孔の一端は、前記バヨネット爪より前記第二筒の軸方向一端側に配置されているレンズ鏡筒。
【請求項４】
請求項１から請求項３のいずれか一項に記載のレンズ鏡筒において、
前記第一筒は、互いに円周方向に離間した少なくとも２つの前記バヨネット切欠き部を円周方向に沿って３組有し、
前記３組のうちの第１の組における前記バヨネット切欠き部同士の間隔と、前記３組のうちの第２の組における前記バヨネット切欠き部同士の間隔と、前記３組のうちの第３の組における前記バヨネット切欠き部同士の間隔とは、それぞれ異なり、
前記バヨネット切欠き部の円周方向に沿った幅、および径方向の深さは、前記バヨネット切欠き部のそれぞれで同じであり、
前記第二筒は、前記バヨネット切欠き部に対応して、互いに円周方向に離間した少なくとも２つの前記バヨネット爪が円周方向に沿った３組のそれぞれに設けられ、
前記バヨネット爪の円周方向に沿った幅、および径方向の高さは、前記バヨネット爪のそれぞれで同じであるレンズ鏡筒。
【発明の詳細な説明】
【技術分野】
【０００１】
本発明は、レンズ鏡筒に関する。
【背景技術】
【０００２】
カメラのズームレンズのように、第１の鏡筒部材の内部に第２の鏡筒部材の少なくとも一部が挿入された状態で両者をバヨネットによって結合することで、周方向への相対的な回転を許容しつつ軸方向への相対的な移動を制限するレンズ鏡筒が知られている。このようなレンズ鏡筒では、第１および第２の鏡筒部材を結合および分解可能とするため、一方の鏡筒部材には複数のバヨネット爪を円周方向に沿って設け、他方の鏡筒部材には、一方の鏡筒部材のバヨネット爪が軸方向に通過可能なバヨネット切り欠き部を設けている（特許文献１参照）。
【先行技術文献】
【特許文献】
【０００３】
【特許文献１】特開２００２−２０７１５０号公報
【発明の概要】
【０００４】
レンズ鏡筒は、バヨネット切欠き部と、前記バヨネット切欠き部に連なる円周溝と、前記円周溝に連なるカム溝とを有する第一筒と、前記第一筒の内部に少なくとも一部が収容され、前記バヨネット切欠き部から挿入されて前記円周溝に係合するバヨネット爪と、前記カム溝と少なくとも一部が対向するカム貫通孔と、を有する第二筒と、前記第二筒の内部に少なくとも一部が収容され、前記カム貫通孔を貫通して前記カム溝内に沿って移動する突起を有する移動筒と、を備える。
【図面の簡単な説明】
【０００５】
【図１】レンズ鏡筒の一部についての断面図である。
【図２】固定筒とズームリングとカム筒とを示す分解図である。
【図３】バヨネット爪およびバヨネット切り欠き部を光軸方向に沿って見た図であり、（ａ）は固定筒におけるバヨネット爪の位置を示す図であり、（ｂ）はズームリングにおけるバヨネット切り欠き部の位置を示す図である。
【図４】固定筒とズームリングとの結合手順について模式的に示す図である。（ａ）は固定筒とズームリングとの結合前の状態を示す。（ｂ）はズームリングの内部に固定筒を挿入した後であってバヨネット爪およびズーム連動ピンがズームリング内に挿入される前の状態を示す。（ｃ）は（ｂ）に示した状態からカム筒をさらにズームリング側に移動させた状態を示す。
【図５】ズームリングの内周面の一部を展開して模式的に示した図である。
【発明を実施するための形態】
【０００６】
図１から図４を参照して、レンズ鏡筒の一実施の形態を説明する。図１は、本実施の形態のレンズ鏡筒の主要部についての断面図である。本実施の形態のレンズ鏡筒は、不図示のカメラボディに着脱可能な交換レンズ鏡筒１である。なお、以下の説明では、本実施形態と直接関係のない構成についての説明を省略する。
交換レンズ鏡筒１は、レンズマウント９１と、固定筒１０と、ズームリング２０と、カム筒３０と、第１レンズ群８１と、第２レンズ群８２と、第３レンズ群８３とを有する。交換レンズ鏡筒１は、ユーザによるズームリング２０の手動操作により焦点距離が可変に構成された、いわゆる手動ズームレンズである。
【０００７】
レンズマウント９１は、不図示のカメラボディに設けられたボディ側レンズマウントに対応し、カメラボディに交換レンズ鏡筒１を着脱可能に装着するレンズ側のレンズマウントである。
図２は、固定筒１０とズームリング２０とカム筒３０とを示す分解図であり、右上側がレンズマウント９１側に対応し、左下側が被写体側に対応する。ズームリング２０とズームリング２０の内部に収容される固定筒１０とは、バヨネット爪およびバヨネット切り欠き部を有するバヨネット機構によって互いに連結される。図３は、後述するバヨネット爪およびバヨネット切り欠き部を被写体側から見た図であり、図３（ａ）は固定筒１０におけるバヨネット爪の位置を示す図であり、図３（ｂ）はズームリング２０におけるバヨネット切り欠き部の位置を示す図である。
【０００８】
図１，２に示すように、固定筒１０は、レンズマウント９１に取り付けられた筒状の部材であり、バヨネット爪１１と、貫通カム溝１２とを有する。バヨネット爪１１は、図２に示すように、固定筒１０の周壁における被写体側の端部の近傍に設けられ、径方向外側に突出する突部である。バヨネット爪１１は、図３（ａ）に示すように、固定筒１０の周方向に離間した３箇所に一対ずつ、計６つ設けられている。６つのバヨネット爪１１のそれぞれの高さＨａは同じであり、それぞれの周方向の幅Ｗａは同じである。
【０００９】
図３（ａ）における左上側の１対のバヨネット爪１１，１１と右側の１対のバヨネット爪１１，１１との離間角度θ１とし、右側の１対のバヨネット爪１１，１１と左下側の１対のバヨネット爪１１，１１との離間角度θ２とし、左下側の１対のバヨネット爪１１，１１と左上側の１対のバヨネット爪１１，１１との離間角度θ３とする。離間角度θ１と離間角度θ２と離間角度θ３とは略等しい。
左上側の１対のバヨネット爪１１，１１同士の間隔Ｐａ１と、右側の１対のバヨネット爪１１，１１同士の間隔Ｐａ２と、左下側の１対のバヨネット爪１１，１１同士の間隔Ｐａ３とは、それぞれ異なり、間隔Ｐａ１が最も小さく、間隔Ｐａ３が最も大きい。
【００１０】
図１，２に示すように、貫通カム溝１２は、固定筒１０の周壁を内周から外周に貫通するカム溝である。貫通カム溝１２は、固定筒１０の周壁の２箇所に設けられている。後述する図４（ａ）に示すように、貫通カム溝１２の被写体側の端部１２ａは、バヨネット爪１１よりも被写体側に位置している。
【００１１】
ズームリング２０は、図１〜図３に示すように、ユーザによる光軸ＯＡを中心とする回動操作によって固定筒１０に対して回動する筒状部材であり、バヨネット切り欠き部２１と、バヨネット溝２２と、カム溝２３とを有する。バヨネット切り欠き部２１は、ズームリング２０の周壁における被写体側の端部に設けられ、周壁を内面側から径方向外側に向かって切り欠いた凹部であり、ズームリング２０と固定筒１０とを結合する際に、固定筒１０のバヨネット爪１１が光軸ＯＡ方向に通過する。バヨネット切り欠き部２１は、図３（ｂ）に示すように、ズームリング２０の周方向に離間した３箇所に一対ずつ、計６つ設けられている。
６つのバヨネット切り欠き部２１のそれぞれの深さＤｂは同じであり、それぞれの周方向の幅Ｗｂは同じである。バヨネット切り欠き部２１の深さＤｂは、バヨネット爪１１の高さＨａよりもやや大きく、バヨネット切り欠き部２１の周方向の幅Ｗｂは、バヨネット爪１１の周方向の幅Ｗａよりもやや大きい。
【００１２】
図３（ｂ）における左上側の１対のバヨネット切り欠き部２１，２１と右側の１対のバヨネット切り欠き部２１，２１との離間角度は、図３（ａ）の左上側の１対のバヨネット爪１１，１１と右側の１対のバヨネット爪１１，１１との離間角度θ１と等しい。同様に、図３（ｂ）における右側の１対のバヨネット切り欠き部２１，２１と左下側の１対のバヨネット切り欠き部２１，２１との離間角度は、図３（ａ）の右側の１対のバヨネット爪１１，１１と左下側の１対のバヨネット爪１１，１１との離間角度θ２と等しい。図３（ｂ）における左下側の１対のバヨネット切り欠き部２１，２１と左上側の１対のバヨネット切り欠き部２１，２１との離間角度は、図３（ａ）の左下側の１対のバヨネット爪１１，１１と左上側の１対のバヨネット爪１１，１１との離間角度θ３と等しい。
【００１３】
図３（ｂ）における左上側の１対のバヨネット切り欠き部２１，２１同士の間隔は、図３（ａ）の左上側の１対のバヨネット爪１１，１１同士の間隔Ｐａ１と等しい、同様に、図３（ｂ）における右側の１対のバヨネット切り欠き部２１，２１同士の間隔は、図３（ａ）の右側の１対のバヨネット爪１１，１１同士の間隔Ｐａ２と等しく、図３（ｂ）における左下側の１対のバヨネット切り欠き部２１，２１同士の間隔は、図３（ａ）の左下側の１対のバヨネット爪１１，１１同士の間隔Ｐａ３と等しい。説明の便宜上、最も小さい間隔Ｐａ１で配置された１対のバヨネット切り欠き部２１，２１を第１対と呼び、２番目に小さい間隔Ｐａ２で配置された１対のバヨネット切り欠き部２１，２１を第２対と呼び、最も大きい間隔Ｐａ３で配置された１対のバヨネット切り欠き部２１，２１を第３対と呼びと呼ぶ。
【００１４】
図１に示すバヨネット溝２２は、ズームリング２０の周壁における被写体側の端部近傍に設けられ、周壁の内周面に形成された円周方向に延在する溝であり、固定筒１０の各バヨネット爪１１と嵌合する。
図１，２および図５に示すように、カム溝２３は、ズームリング２０の周壁の内周面に設けられ、ズームリング２０の周壁の２箇所に設けられている。なお、図５はズームリング２０の内周面の一部を展開して模式的に示した図であり、左側を被写体側とし、右側をレンズマウント９１側とする。
【００１５】
図２，５に示すように、各カム溝２３，２３は、ズーム溝部２３Ａ，２３Ａと、連通溝部２３Ｂ，２３Ｂとを含む。ズーム溝部２３Ａ，２３Ａは、カム溝２３，２３においてレンズマウント９１側に設けられた溝部であり、後述するように焦点距離の調節に用いられる。
連通溝部２３Ｂ，２３Ｂは、カム溝２３，２３において被写体側に設けられた溝部であり、後述するように交換レンズ鏡筒１の組み立ておよび分解時に用いられる。２つの連通溝部２３Ｂ，２３Ｂの一方は、その被写体側の端部が、たとえば第２対のバヨネット切り欠き部２１，２１の一方にバヨネット溝２２を介して連なっている。２つの連通溝部２３Ｂ，２３Ｂの他方は、その被写体側の端部が、たとえば第３対のバヨネット切り欠き部２１，２１の一方にバヨネット溝２２を介して連なっている。詳述すると、各連通溝部２３Ｂは、図５に示すようにその一端部２３Ｂ１がズーム溝部２３Ａの一端部２３Ａ１に接続され、各連通溝部２３Ｂの他端部２３Ｂ２がバヨネット溝２２に接続されている。これによって、バヨネット切り欠き部２１とズーム溝部２３Ａとがバヨネット溝２２と連通溝部２３Ｂとによって連通、すなわち接続される。なお、本実施の形態では、連通溝部２３Ｂ，２３Ｂは、交換レンズ鏡筒１の組み立ておよび分解時に用いられるが、焦点距離の調節には用いられない。
【００１６】
カム筒３０は、後述するように、固定筒１０に対してズームリング２０が光軸ＯＡを中心に回動されると光軸ＯＡ方向に移動する筒状部材であり、周壁の外周面にズーム連動ピン３１が取り付けられている。本実施の形態では、ズーム連動ピン３１は、円周方向に離間した２箇所にそれぞれ取り付けられている。２本のズーム連動ピン３１，３１は、それぞれ固定筒１０の貫通カム溝１２，１２をそれぞれ貫通してズームリング２０のカム溝２３，２３とそれぞれ嵌合している（図１参照）。
【００１７】
第１レンズ群８１は、たとえば集光レンズ群として機能する。第２レンズ群８２は、たとえば変倍レンズ群として機能する。第３レンズ群８３は、たとえば結像レンズ群として機能する。本実施の形態では、後述するように、固定筒１０に対してズームリング２０が光軸ＯＡを中心に回動されてカム筒３０が光軸ＯＡ方向に移動すると、第１レンズ群８１と第２レンズ群８２との間隔が変化し、第２レンズ群８２と第３レンズ群８３との間隔が変化することで、焦点距離が変更されるように交換レンズ鏡筒１が構成されている。
また本実施の形態では、第３レンズ群８３中の一部のレンズ群が光軸ＯＡ方向へ移動することで、無限遠物体から近距離物体への合焦を行うように交換レンズ鏡筒１が構成されている。
【００１８】
このように構成される交換レンズ鏡筒１では、上述したように、カム筒３０の２本のズーム連動ピン３１，３１が固定筒１０の貫通カム溝１２，１２をそれぞれ貫通してズームリング２０のカム溝２３，２３とそれぞれ嵌合する（図１参照）。すなわち、２本のズーム連動ピン３１，３１は、貫通カム溝１２，１２とカム溝２３，２３とが重なり合う位置で貫通カム溝１２，１２およびカム溝２３，２３とそれぞれ嵌合する。
【００１９】
たとえばユーザの操作によってズームリング２０が固定筒１０に対して回動されると、貫通カム溝１２，１２とカム溝２３，２３とが重なり合う位置、すなわち貫通カム溝１２，１２とカム溝２３，２３とが対向する位置が光軸ＯＡ方向に移動する。これにより、ズーム連動ピン３１，３１が取り付けられているカム筒３０が光軸ＯＡ方向に移動する。このカム筒３０の光軸ＯＡ方向の移動によって、第１レンズ群８１と第２レンズ群８２との間隔が変化し、第２レンズ群８２と第３レンズ群８３との間隔が変化する。これにより、交換レンズ鏡筒１の焦点距離が変更される。
すなわち、交換レンズ鏡筒１は、ズームレンズであり、ズームリング２０は、ズーム操作時に回転される。固定筒１０は、ズームリング２０に対して光軸ＯＡ方向に不動であり、かつ、ズームリング２０に対して相対的に回転され、ズームリング２０と固定筒１０との相対的な回転に伴い、カム溝２３に対して貫通カム溝１２の対向する領域が変化する。
【００２０】
−−−固定筒１０とズームリング２０との結合手順について−−−
交換レンズ鏡筒１を組み立てる場合、固定筒１０とズームリング２０とを以下のようにして結合させる。固定筒１０とズームリング２０との結合手順について、さらに図４を参照して説明する。図４は、固定筒１０とズームリング２０との結合手順について模式的に示す図である。図４（ａ）は、固定筒１０とズームリング２０との結合前の状態を示している。図４（ｂ）は、ズームリング２０の内部に固定筒１０を挿入した後であってバヨネット爪１１およびズーム連動ピン３１がズームリング２０内に挿入される前の状態を示している。図４（ｃ）は、図４（ｂ）に示した状態からカム筒３０をさらにズームリング２０側に移動させた状態を示している。
【００２１】
図２および図４（ａ）に示すように、固定筒１０とズームリング２０とを結合させる前に、まず、固定筒１０の内部にカム筒３０を挿入させておく。この状態では、カム筒３０の少なくとも一部が固定筒１０の内側に挿入され、２本のズーム連動ピン３１，３１が貫通カム溝１２，１２を貫通して外側に向かって突出している。
【００２２】
次に、図４（ｂ）に示すように、カム筒３０が挿入されている固定筒１０をズームリング２０の被写体側（図４における左側）の端部から挿入する。このとき、固定筒１０の各バヨネット爪１１の位置を、各バヨネット切り欠き部２１の位置からずらしておくことで、図４（ｂ）に示すように、各バヨネット爪１１がズームリング２０の被写体側の端部に当接する。すなわち、ズームリング２０の被写体側の端部において、バヨネット切り欠き部２１が形成されていない領域の内径は、バヨネット切り欠き部２１が形成されている領域の内径より小さいので、バヨネット切り欠き部２１が形成されている領域をバヨネット爪１１が通過することができない。したがって、各バヨネット爪１１の右側の側面はズームリング２０の被写体側の端部と対向して当接する。
上述したように、貫通カム溝１２の被写体側の端部１２ａは、バヨネット爪１１よりも被写体側に位置しているので、図４（ｂ）に示す状態では、貫通カム溝１２から突出したズーム連動ピン３１は、ズームリング２０の被写体側端部よりも被写体側に位置することとなる。
【００２３】
この状態で、固定筒１０およびカム筒３０とズームリング２０とを相対回転させて、固定筒１０の貫通カム溝１２，１２から突出している２本のズーム連動ピン３１，３１の位置を、カム溝２３，２３と連なっている第２対のバヨネット切り欠き部２１，２１の一方と第３対のバヨネット切り欠き部２１，２１の一方とに合わせる。上述したように、各バヨネット爪１１はズームリング２０の被写体側の端部と当接しており、貫通カム溝１２から突出したズーム連動ピン３１は、ズームリング２０の被写体側端部よりも被写体側に位置することとなる。これにより、２本のズーム連動ピン３１，３１の位置を、カム溝２３，２３と連なっている第２対のバヨネット切り欠き部２１，２１の一方と第３対のバヨネット切り欠き部２１，２１の一方とに合わせ易い。
【００２４】
そして、図４（ｃ）に示すように、カム筒３０を右側に移動させる。これにより、２本のズーム連動ピン３１，３１は、第２対の一方および第３対の一方のバヨネット切り欠き部２１，２１（図２参照）から進入して各カム溝２３，２３の連通溝部２３Ｂ，２３Ｂ（図２，５参照）に到達する。
【００２５】
その後、固定筒１０およびカム筒３０とズームリング２０とを相対回転させて、固定筒１０の各バヨネット爪１１の位置を、各バヨネット切り欠き部２１の位置に合わせて、固定筒１０をさらにズームリング２０内に挿入する。これにより、各バヨネット爪１１は、各バヨネット切り欠き部２１から進入してバヨネット溝２２（図１，５参照）に到達し、２本のズーム連動ピン３１，３１は、各カム溝２３，２３のズーム溝部２３Ａ，２３Ａに到達する。
なお、図４（ａ）〜（ｃ）に示すように、貫通カム溝１２は、端部１２ａからレンズマウント側の中途部１２ｂまでの間は光軸方向に延在する溝部を含んでいる。ズーム連動ピン３１，３１は、カム溝２３，２３の連通溝部２３Ｂ，２３Ｂに到達したときには、貫通カム溝１２，１２の中途部１２ｂ，１２ｂまで到達している。
【００２６】
このように、各ズーム連動ピン３１は、ズームリング２０のバヨネット切り欠き部２１とバヨネット溝２２と連通溝部２３Ｂとを順次通過してズーム溝部２３Ａに到達する。
また、第２対の一方および第３対の一方のバヨネット切り欠き部２１，２１は、固定筒１０とズームリング２０との結合時のズーム連動ピン３１，３１の通過領域とバヨネット爪１１の通過領域とを兼ねている。
【００２７】
その後、固定筒１０とズームリング２０とを周方向に相対回転させると、各バヨネット爪１１がバヨネット溝２２と嵌合し、固定筒１０とズームリング２０とが周方向に相対回転可能に結合される。
【００２８】
上記結合手順の説明では、図４（ａ）、図４（ｂ）において、ズーム連動ピン３１を貫通カム溝１２の端部１２ａ付近に位置させており、ズーム連動ピン３１がズームリング２０の被写体側端部よりも被写体側に位置させている。その後、図４（ｃ）の状態において、ズーム連動ピン３１が貫通カム溝１２の中途部１２ｂまで到達することとしている。
しかしながら、図４（ａ）、図４（ｂ）の状態で、ズーム連動ピン３１を貫通カム溝１２の中途部１２ｂまで到達させておいてもよい。すなわち、図４（ａ）の状態で、ズーム連動ピン３１をバヨネット爪１１よりレンズマウント側に位置させておいてもよい。
また、貫通カム溝１２は、固定筒１０の端部１２ａより被写体側へ延在させ、被写体側端で光軸方向に貫通していてもよい。こうすることによって、カム筒３０のズーム連動ピン３１を光軸方向から貫通カム溝１２の貫通した端部へ挿入することによってカム溝１２内に入れることができる。
この場合、カム筒１０の強度確保のため、貫通カム溝１２の端部側（図４における貫通カム溝の端部１２ａからカム筒１０の被写体側端までの間）は、光軸方向に貫通しても径方向には貫通しないことが好ましい。そのため、カム筒１０の端部側（端部１２ａからカム筒１０の被写体側端までの間）は外周側を突起させる構成とすることが好ましい。
固定筒１０とズームリング２０とを分解する場合、上述した結合の手順と逆の手順を踏めばよい。
【００２９】
上述した実施の形態によれば、次の作用効果が得られる。
（１）交換レンズ鏡筒１は、バヨネット切り欠き部２１と、バヨネット切り欠き部２１に連なるバヨネット溝２２と、バヨネット溝２２に連なるカム溝２３とを有するズームリング２０と、ズームリング２０の内部に少なくとも一部が収容され、バヨネット切欠き部２１から挿入されてバヨネット溝２２に係合するバヨネット爪１１と、カム溝２３と少なくとも一部が対向する貫通カム溝１２と、を有する固定筒１０と、固定筒１０の内部に少なくとも一部が収容され、貫通カム溝１２を貫通してカム溝２３内に沿って移動するズーム連動ピン３１を有するカム筒３０と、を備える。
これにより、バヨネット切り欠き部２１を利用してズーム連動ピン３１をカム溝２３に導くことができるので、ズーム連動ピン３１をカム溝２３に導くための切り欠き部を別途設ける必要がなく、切り欠き部の数を抑制できる。したがって、ズームリング２０の強度向上に寄与するとともに、バヨネット切り欠き部２１からの異物の侵入を抑制して防塵、防水性を向上できる。
【００３０】
（２）ズームリング２０の光軸ＯＡ方向一端部において、バヨネット切欠き部２１が形成されていない領域の内径は、バヨネット切欠き部２１が形成されている領域の内径より小さい。固定筒１０において、貫通カム溝１２の端部１２ａは、バヨネット爪１１より被写体側に配置されている。そのため、図４（ｂ）に示す状態では、各バヨネット爪１１の右側の側面はズームリング２０の被写体側の端部と当接しており、貫通カム溝１２から突出したズーム連動ピン３１は、ズームリング２０の被写体側端部よりも被写体側に位置することとなる。これにより、２本のズーム連動ピン３１，３１の位置を、カム溝２３，２３と連なっている第２対のバヨネット切り欠き部２１，２１の一方と第３対のバヨネット切り欠き部２１，２１の一方とに合わせ易くなり、交換レンズ鏡筒１の組み立てが容易となる。
【００３１】
（３）ズームリング２０は、互いに円周方向に離間した２つのバヨネット切欠き部２１を円周方向に沿って３組有する。この３組のうちの第１の組におけるバヨネット切欠き部２１同士の間隔Ｐａ１と、３組のうちの第２の組におけるバヨネット切欠き部２１同士の間隔Ｐａ２と、３組のうちの第３の組におけるバヨネット切欠き部２１同士の間隔Ｐａ３とは、それぞれ異なる。バヨネット切欠き部２１の円周方向に沿った幅Ｗｂ、および径方向の深さＤｂは、バヨネット切欠き部２１のそれぞれで同じである。固定筒１０は、バヨネット切欠き部２１に対応して、互いに円周方向に離間した２つのバヨネット爪１１が円周方向に沿った３組のそれぞれに設けられる。バヨネット爪１１の円周方向に沿った幅Ｗａ、および径方向の高さＨａは、バヨネット爪１１のそれぞれで同じである。
これにより、ズームリング２０と固定筒１０とは、特定の回転位相でのみ分解可能となるので、ズームリング２０の回転角を大きくすることができる。したがって、焦点距離を広角端から望遠端まで変更させるためのズームリング２０の回転角を大きく確保できるので、ズームエンコーダの分解能を向上でき、検出精度を向上できる。これにより、バリフォーカルの度合いを抑制し易くなり、交換レンズ鏡筒１の光学性能を確保できる。
また、バヨネット切欠き部２１同士の間隔Ｐａ１、Ｐａ２、Ｐａ３を各組（各対）でそれぞれ異ならせることでバヨネット切欠き部２１の幅Ｗｂがバヨネット切欠き部２１のそれぞれで同じにすることができる。これにより、バヨネット切欠き部２１の幅Ｗｂを小さくすることができるので、ズームリング２０の強度向上に寄与するとともに、バヨネット切り欠き部２１からの異物の侵入を抑制して防塵、防水性を向上できる。
【００３２】
（４）離間角度θ１と離間角度θ２と離間角度θ３とは略等しい。これにより、１対のバヨネット爪１１，１１が円周方向に沿って略３等分したそれぞれの位置に配置されるので、ズームリング２０の回転操作性が良好となる。また、ズームリング２０に受けた外部からの衝撃力などを良好に分散できる。
【００３３】
次のような変形も本発明の範囲内であり、変形例の一つ、もしくは複数を上述の実施形態と組み合わせることも可能である。
（変形例１）上述の説明では、バヨネット爪１１および貫通カム溝１２は固定筒１０に設けられていた。しかし、バヨネット爪１１および貫通カム溝１２を同様の構成を固定筒１０以外の筒状部材であって、ズームリング２０に対して光軸ＯＡ方向に不動であり、かつ、ズームリング２０に対して相対的に回転される部材に設けてもよい。
【００３４】
（変形例２）上述の説明では、離間角度θ１と離間角度θ２と離間角度θ３とは略等しかった。しかし、離間角度θ１と離間角度θ２と離間角度θ３とが略等しいことは必須ではない。
（変形例３）上述の説明では、バヨネット爪１１およびバヨネット切り欠き部２１の数が６であったが、５以下でもよく、７以上でもよい。また、１組のバヨネット爪１１および１組のバヨネット切り欠き部２１の配設数は３組であったが、２組以下でもよく、４組以上でもよい。また、１組当たりのバヨネット爪１１およびバヨネット切り欠き部２１の数が２であったが、１でもよく、３以上でもよい。
【００３５】
（変形例４）上述の説明では、貫通カム溝１２、カム溝２３およびズーム連動ピン３１をそれぞれ２箇所に設けたが、それぞれ１箇所だけに設けてもよく、それぞれ３箇所以上に設けてもよい。
（変形例５）上述の説明では、交換レンズ鏡筒１の組み立ておよび分解時に用いられるが、焦点距離の調節には用いられない連通溝部２３Ｂを介して、焦点距離の調節には用いられるズーム溝部２３Ａをバヨネット溝２２に接続した。しかし、ズーム溝部２３Ａがバヨネット溝２２に直接接続されていてもよい。
【００３６】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００３７】
１；交換レンズ鏡筒、１０；固定筒、１１；バヨネット、１２；貫通カム溝、１２ａ；端部、２０；ズームリング、２１；バヨネット切り欠き部、２２；バヨネット溝、２３；カム溝、３０；カム筒、３１；ズーム連動ピン
【図１】
2018077273.tif 000003
【図２】
2018077273.tif 000004
【図３】
2018077273.tif 000005
【図４】
2018077273.tif 000006
【図５】
2018077273.tif 000007